(57)【要約】      （修正有）【課題】釣り仕掛のオモリの交換頻度を少なくし、より快適な釣りを楽しむ為に市販のオモリを利用して釣り仕掛の道糸を切断することなく、道糸の任意の位置に、そのオモリと一体化した取付固定器具の着脱が容易にできて、オモリを固定する器具等を必要としない。【解決手段】直線鋼線１を中芯にして、渦巻き形状をしている螺旋鋼線２を成す螺旋体Ａと、その直線鋼線の先端部に直線鋼線の円周に沿って一定の間隔に円弧のかき込み１３を有す先端４を挟み受ける弾力性のある環鋼線１０を中芯にして螺旋鋼線７を成す螺旋体Ｂがあり、直線鋼線１に市販のオモリの孔口より挿入して螺旋体ＡとＢを一体化した複合体Ｃで構成される。螺旋体Ａ及びＢには道糸を挟み込み固着する環鋼線を有し、回転を抑制する機能を併せ持ち、道糸との着脱が容易にできる。【選択図】図１
0003114070.tif 000002
【実用新案登録請求の範囲】
【請求項１】
直線鋼線を中芯にして螺旋形状を成す一方の鋼線体と、前記直線鋼線を受け挟み込む機能と、前記一方の螺旋鋼線体の回転を防止する機能を持つ環状形鋼線を有する、他方の螺旋鋼線体で構成され、前記直線鋼線に釣り用のオモリを装着して、前記二つの螺旋鋼線体とを組み合わせて一体化して、釣り用仕掛道糸の自由な位置に巻き付けて、オモリの着脱を可能としたことを特徴とする釣り用の道具。
【請求項２】
前記直線鋼線において先端部の所定の位置に円弧の欠き込みを有し、この欠き込み部を他方の螺旋鋼線体に包含する弾力性のある環状形鋼線体に挿入して挟み受ける機能を有する請求項１記載の釣り用の道具
【請求項３】
一体化した一方の螺旋鋼線体の直線鋼線部に道糸を巻き付けて、その直線鋼線と前記螺旋鋼線が収束する環状鋼線部に道糸を先導することにより、前記一方の螺旋鋼線体と道糸が固着される、更に前記他方の螺旋鋼線体の環状形鋼線部に前記道糸を挟み込めば、
他方の螺旋鋼線体と前記道糸とが、固着される機能を有す請求項１、又は請求項２記載の釣り用の道具。
【考案の詳細な説明】
【技術分野】
【０００１】
本考案は、複数の螺旋形状体と釣り用オモリを組み合わせて一体化して、釣り仕掛道糸の自由な位置に着脱を可能とした、釣り用オモリの着脱道具に関するものである。
【背景技術】
【０００２】
従来は海での投げ釣りにおいてオモリの交換が面倒であり、丸型オモリや長型オモリやなつめ型オモリを交換する場合はオモリの上下方の仕掛を取り外して、オモリを付け替えて後再度仕掛を造り直すという所作が必要になります。寒い時や暗い時にはオモリの交換が面倒になり釣果に影響するだけでなく、楽しみも半減します。
【０００３】
川での本流釣りや大堰堤での渓流釣りではガン玉型のオモリを利用しますが、市販のガン玉オモリでは軽すぎて仕掛が流れてしまい釣りにならないことや、釣り竿を振った際にガン玉オモリが飛び外れてポイントに投入できなくなったり、オモリを消失して釣りができなくなることが多くあります。オモリの交換が容易にできて、オモリが飛び外れにくくなれば気持ちに余裕ができ釣果に反映され、又釣り用器具の消失も少なくなり釣りがもっと楽しくなると思われます。
釣りのオモリや浮きに関しての道具又は器具の発明として鋼線の螺旋を利用したものが
あるが、いずれもオモリ止めや浮き止めが必要であると思われる。
【特許文献１】特開平９―１２１７３６号公報
【特許文献２】特開平９―２９９０００号公報
【特許文献３】実開昭６３―６３３７４号公報
【特許文献４】実開昭６４―２６９７４号公報
【考案の開示】
【考案が解決しようとする課題】
【０００４】
快適な釣りを楽しみ、より多くの釣果を切望する際に道糸を切断したり、釣り仕掛を取り外してオモリを交換することはその交換頻度が増すとその仕掛の再作成に時間と手間が掛かり釣りの楽しさが半減してしまう。この考案は上記欠点を解決し、市販のオモリを利用して道糸を切断することなく道糸の任意の位置に、そのオモリと一体化した
取付固定器具の固定が可能であり、又着脱が容易にできて、オモリを固定する補助の手段を必要としないことを課題とする。
【課題を解決するための手段】
【０００５】
以上の課題を解決するために、請求項１の考案は直線鋼線（１）を有する螺旋体（Ａ）と直線鋼線（１）の先端鋼線（４）を受け挟み込む螺旋体（Ｂ）から成り、直線鋼線（１）に、市販しているなつめ型オモリ（Ｄ）の挿通孔の孔口より直線鋼線（１）を挿入して、螺旋体（Ａ）及び螺旋体（Ｂ）とを組み合わせて一体化した複合体（Ｃ）とする。
【０００６】
道糸（Ｅ）を複合体（Ｃ）の螺旋体（Ａ）部及び螺旋体（Ｂ）部の直線鋼線（６）及び（１２）に巻き付けて、この巻き付けた道糸（Ｅ）と直線鋼線（１）との摩擦抵抗により、道糸（Ｅ）と複合体（Ｃ）は固着される。複合体（Ｃ）は道糸（Ｅ）の任意の位置に取付及び取り外しが可能になる。
【０００７】
請求項２の考案は螺旋体（Ａ）及び螺旋体（Ｂ）において、螺旋体（Ａ）の直線鋼線の先端部（４）にその直線鋼線の円周に沿って一定の間隔の位置に連続した円弧の欠き込み（１３）を配置し、この円弧の欠き込み（１３）部を螺旋体（Ｂ）の弾力性のある環状形鋼線体（１０）の、直線鋼線（４）の外れ止め突起（１５）を有す、挿入部（９）に挟み込めば，螺旋体（Ａ）と螺旋体（Ｂ）は固定化され、螺旋体（Ａ）と螺旋体（Ｂ）は共に回転を防止する機能を併せ持ち，一体化することになる。
【０００８】
請求項３の考案は螺旋体（Ａ）の螺旋鋼線（２）の収束部（６）に道糸の外れ防止環状鋼線（３）を有し，道糸（Ｅ）をこの環状鋼線（３）に先導して挟み通せば、道糸（Ｅ）と螺旋体（Ａ）は更に安定した固着となる。
同様に，螺旋体（Ｂ）の螺旋鋼線（７）の収束部に弾力性のある環鋼線（１０）を有し、螺旋体（Ａ）の直線鋼線部（１２）に道糸（Ｅ）を巻き付けた後，この環状形鋼線部（８）に挟み込めば、道糸（Ｅ）の外れ防止となり、道糸（Ｅ）と螺旋体（Ｂ）は固着される。前記複合体（Ｃ）は道糸（Ｅ）との芯ずれ防止を共有し，安定した固着が確保でき、オモリ止めのような補助手段を必要としない着脱が可能となる。
【考案の効果】
【０００９】
本考案に係る釣り用着脱道具は市販のなつめ型系オモリを利用して、直線鋼線を併せ持つ渦巻き状又は屈曲した環状体にて構成する２つ螺旋鋼線体とを組み合わせ一体化して、複合体とすることができ、この螺旋鋼線体は鋼線のみで製造することができ、直線鋼線の長さを調整すれば数種類のオモリにも一対の螺旋体で対応でき、すり鉢の渦巻き状や同心螺旋状のいずれの形状でも、本考案の機能には変わらないことを特徴に持つ。
この螺旋体に道糸を巻き付けることにより、道糸と鋼線とが摩擦抵抗により、固着するという性質を利用したものである。加えて環状鋼線に道糸を挟み込むことにより、道糸の外れ防止となり、道糸を緊張して発生する引張力による回転を防止し、道糸と複合体の芯ずれ防止をも併せ持つ機能を持つ。
市販のオモリを利用して前述の螺旋体（Ａ）及び（Ｂ）を一体化して、道糸に容易に
着脱が可能になり、仕掛の作成手間を多いに省くことができる。オモリの交換が頻繁に
できるので、釣果が期待できて、釣りの楽しみが倍増する。
【考案を実施するための最良の形態】
【００１０】
螺旋体（Ａ）は直線な鋼線（１）を中心にして、その直線鋼線（１）を囲むように円を描きながら渦巻きの形状をしている螺旋鋼線（２）と前記直線鋼線（１）と螺旋鋼線（２）が収束する部位に道糸（Ｅ）を挟み受ける環状の鋼線（３）を併せ持ち、前記直線鋼線（１）の全長は利用する市販のオモリ（Ｄ）の全長より長くしてあり、又その直線鋼線（１）の先端部（４）はその直線鋼線の円周に沿って一定の間隔の位置に連続した円弧のかき込み（１３）を配置し、この円弧のかき込み（１３）が螺旋体（Ｂ）の環状型鋼線（９）部と挟み合わせることにより前記螺旋体（Ａ）と螺旋体（Ｂ）の回転を抑制する弾力鋼線の抗力により、前記螺旋体（Ａ）と市販のなつめ型オモリ（Ｄ）と，前記螺旋体（Ｂ）が回転をしないで組み合わされて一体化する機能を併せ持つ。
【００１１】
螺旋体（Ｂ）は、前記螺旋体（Ａ）の直線鋼線の先端（４）の円弧のかき込み（１３）を挟み受ける部位（９）を包含する、弾力性のある環状形鋼線（１０）を中芯にして渦巻きの形状をしている螺旋鋼線（７）を有し、円弧のかき込み（１３）を挟み受ける（９）部には、直線鋼線（４）の外れ防止機能を有す突起（１５）を併せ持つ、この環状形鋼線（１０）には、道糸（Ｅ）を挟み込む螺旋鋼線部（８）を併せ持ち、螺旋鋼線の先端（１１）は螺旋体（Ａ）の螺旋鋼線の先端（５）と同様に、道糸（Ｅ）を傷つけないように半球形状をしている、前述の機能を併せ持つ環状形鋼線（１０）と螺旋鋼線（７）で構成される。
【００１２】
螺旋体（Ａ）の直線鋼線（１）を市販のなつめ型オモリ（Ｄ）の道糸挿入孔部の孔口
（１３）より挿通して、前記オモリ（Ｄ）を螺旋体（Ａ）に組み合わせた後、螺旋体（Ｂ）の螺旋鋼線（７）が収束する弾力性のある環状形鋼線部（９）に、螺旋体（Ａ）の直線鋼線の先端鋼線（４）の円弧のかき込み（１３）部を差し込むことにより、螺旋体（Ａ）と市販のなつめ型オモリ（Ｄ）と螺旋体（Ｂ）が組み合わされ一体化して複合体（Ｃ）となる。
【００１３】
一体化した複合体（Ｃ）において、螺旋体（Ａ）の螺旋鋼線（２）の先端鋼線（５）より、道糸（Ｅ）を螺旋体（Ａ）の螺旋鋼線（２）に沿って、直線鋼線（１）の収束部（６）に巻き付けた後、螺旋鋼線（２）の収束部（３）に先導すれば、螺旋体（Ａ）と道糸（Ｅ）は固着される。
同様に螺旋体（Ｂ）の螺旋鋼線（７）の先端鋼線（１１）より道糸（Ｅ）を螺旋鋼線（７）に沿って、一体化している螺旋体（Ａ）の直線鋼線の先端鋼線（１２）部に巻き付けて、螺旋体（Ｂ）の螺旋鋼線（７）の収束部（８）に挟み込むことにより、螺旋体（Ｂ）と
道糸（Ｅ）は固着される。
【００１４】
道糸（Ｅ）を螺旋体（Ａ）の直線鋼線（１）又は（１２）に巻き付けると摩擦抵抗により道糸（Ｅ）と螺旋体（Ａ）及び螺旋体（Ｂ）は固定される。加えて螺旋体（Ａ）の収束部（３）又は螺旋体（Ｂ）の収束部（９）に道糸（Ｅ）を先導又は挟み込むことにより、
より安定した取付が可能になり、同時に複合体（Ｃ）と道糸との芯ズレ防止をすることにより、複合体（Ｃ）の釣りの仕掛けとしての回転防止にもなる。
【００１５】
又道糸と複合体との取り外しは、固着時と反対の所作を行い螺旋体（Ａ）の環状鋼線（３）より道糸を取り放し，螺旋鋼線（２）に沿って螺旋方向と逆回転をすれば，道糸は螺旋体（Ａ）より取り外すことができる。同様の所作により螺旋体（Ｂ）から道糸を
取り外すことができる．
【００１６】
この考案の螺旋体（Ａ）及び螺旋体（Ｂ）の材質は鉄鋼線の素地にて表記しているが
鉄鋼線の素地以外には螺旋体（Ａ）及び（Ｂ）の鋼線に塗装を施すことにより、螺旋体材質の保護を行い、耐用年数の延長が期待できるし、加えて道糸の傷防止を行うことになる。塗料材に関してはエポキシ系塗料材もしくはポリウレタン系塗料材が有効であり
特に弾性ポリウレタン系の塗料材はその塗料の表面に粘着性が残り、直線鋼線（１）に道糸（Ｅ）を巻き付けた時に摩擦抵抗がより多く発生するので、当考案の機能を更に
効果的にするものである。
この考案の実施形態を図１，図２，図３、図４、図５，図６、図７、図８に示す。
【図面の簡単な説明】
【００１７】
【図１】本考案に係る釣り用着脱道具の実施の形態を示す斜視図
【図２】図１に示す釣り用着脱道具のＡ螺旋体の側面図
【図３】図１に示す釣り用着脱道具の市販オモリＤの測面図
【図４】図１に示す釣り用着脱道具のＢ螺旋体の側面図
【図５】図２に示す釣り用着脱道具の直線鋼線先端の拡大側面図
【図６】図４に示す釣り用着脱道具の環状形鋼線の見下げ図
【図７】図２に示す釣り用着脱道具の環状鋼線の見上げ図
【図８】図２に示す釣り用着脱道具の螺旋鋼線収束部の拡大側面図
【符号の説明】
【００１８】
Ａ  一方の螺旋体
Ｂ  他方の螺旋体
Ｃ  螺旋体Ａと螺旋体ＢとオモリＤを一体化した形態
Ｄ  市販のなつめ型系オモリ
Ｅ  釣り仕掛に用いる道糸
１  螺旋体Ａの直線鋼線
２  螺旋体Ａの螺旋鋼線
３  螺旋体Ａの道糸を挟み込む環状鋼線
４  螺旋体Ａの直線鋼線の先端
５  螺旋体Ａの螺旋鋼線の先端
６  螺旋体Ａの道糸を巻き付ける部位
７  螺旋体Ｂの螺旋鋼線
８  螺旋体Ｂの道糸を挟み込む環状形鋼線
９  螺旋体Ｂの直線鋼線４を挟み受ける環状形鋼線
１０  螺旋体Ｂの弾力性のある環状形鋼線
１１  螺旋体Ｂの螺旋鋼線の先端
１２  螺旋体Ｂ部の直線鋼線４に道糸を巻き付ける部位
１３  螺旋体Ａの直線鋼線先端部の円弧のかき込み
１４  市販のなつめ型系オモリの糸挿通孔口
１５  螺旋体Ｂの直線鋼線の外れ止め部
【図１】
0003114070.tif 000003
【図２】
0003114070.tif 000004
【図３】
0003114070.tif 000005
【図４】
0003114070.tif 000006
【図５】
0003114070.tif 000007
【図６】
0003114070.tif 000008
【図７】
0003114070.tif 000009
【図８】
0003114070.tif 000010